(57)【特許請求の範囲】
【請求項１】
上枠、下枠、左右縦枠からなるサッシ枠と、このサッシ枠内に設けられる障子とからなるサッシにおいて、
前記縦枠の室外側見付け面の所定部位に予め、防犯面格子に配置される警報用通電ケーブルのための配線通孔を形成するとともに、前記配線通孔の形成部位であって、前記縦枠の見込み面の背面側に前記警報用通電ケーブルを挿通させるための配線用中空部材を配設したことを特徴とする防犯面格子対応サッシ。
【請求項２】
上枠、下枠、左右縦枠からなるサッシ枠と、このサッシ枠内に設けられる障子とからなるサッシにおいて、
前記縦枠の室外側見付け面の面格子固定金具取付け部位に予め、縦枠の見込み面室外側位置に形成された第１通孔と、この第１通孔に連続して前記見込み面より内側の縦枠見付け面に形成された第２通孔とにより断面Ｌ字状を成す、防犯面格子に配置される警報用通電ケーブルのための配線通孔を形成するとともに、前記配線通孔の形成部位であって、前記縦枠の見込み面の背面側に前記警報用通電ケーブルを挿通させるための配線用中空部材を配設したことを特徴とする防犯面格子対応サッシ。
【請求項３】
前記配線用中空部材の両端開口は、養生テープにより封鎖してある請求項１、２いずれかに記載の防犯面格子対応サッシ。
【請求項４】
前記配線用中空部材は接着部材により前記縦枠に接着されるとともに、内部にビスホールを備え、前記縦枠の室内側見付け面を貫通するビスによって固定されている請求項１〜３いずれかに記載の防犯面格子対応サッシ。
【請求項５】
予め、前記配線通孔及び配線用中空部材を通して警報用通電ケーブルを配設してある請求項１〜４いずれかに記載の防犯面格子対応サッシ。
【発明の詳細な説明】
【技術分野】
【０００１】
本発明は、面格子構成部材内部に警報用通電ケーブルが配置され、断線によって面格子の損壊等を自動的に検知する防犯面格子の取付けに当たり、前記警報用通電ケーブルの配線作業を容易化した防犯面格子対応サッシに関する。
【背景技術】
【０００２】
従来より、サッシの室外側に防犯を目的として面格子が取り付けられているが、近年、この面格子を破壊して侵入する被害が増加している。これを防止するために、前記面格子の構成部材内部に通電ケーブルを配線し、通電ケーブルが断線されることにより面格子の損壊を検知する技術が幾つか提案されている。
【０００３】
例えば、下記特許文献１では、周枠内に多数の縦棧材を設けた枠状の防犯面格子において、前記周枠及び縦棧材が筒形の断面形状を有し、この周枠及び縦棧材の内部に、断線によって防犯面格子の取り外しや破損を検出するためのケーブルが配置されている防犯面格子が提案されている。面格子を取り外したり、周枠や各棧材が工具で切断破壊されてケーブルが断線すると、これを電気的に検出して警報を発したり通報することにより、外部から侵入する犯罪を未然に防止する。
【特許文献１】実用新案登録第３１０４４６９号公報
【発明の開示】
【発明が解決しようとする課題】
【０００４】
しかしながら、サッシと面格子とは別体で製造され、面格子は先ずサッシを建物の開口部に取り付けた後、専用の固定金具によりサッシの縦枠に対して取り付けられるものであるため、面格子から延びている通電ケーブルをサッシ枠部を貫通するように配線した後でないと、サッシ外周部のコンクリート又はモルタル充填が出来ないなどの問題があった。
【０００５】
また、防犯面格子から延びている通電ケーブルが露出するようだと、断線し易くなるとともに、犯罪者は他の侵入経路を選択したり、損壊しても警報装置が作動しないように工作を施すことも考えられ、防犯上不備があった。
【０００６】
そこで本発明の主たる課題は、周枠、縦桟、横桟などの構成部材中に警報用通電ケーブルを配線した防犯面格子に対応したサッシであって、新築時はもとより面格子取付け改装時であっても、前記警報用通電ケーブルの配線作業を容易に行えるようにするとともに、前記警報用通電ケーブルの露出を少なくするか無くした状態で配線を可能とした防犯面格子対応サッシを提供することにある。
【課題を解決するための手段】
【０００７】
前記課題を解決するために請求項１に係る本発明として、上枠、下枠、左右縦枠からなるサッシ枠と、このサッシ枠内に設けられる障子とからなるサッシにおいて、
前記縦枠の室外側見付け面の所定部位に予め、防犯面格子に配置される警報用通電ケーブルのための配線通孔を形成するとともに、前記配線通孔の形成部位であって、前記縦枠の見込み面の背面側に前記警報用通電ケーブルを挿通させるための配線用中空部材を配設したことを特徴とする防犯面格子対応サッシが提供される。
【０００８】
上記請求項１に係る本発明では、縦枠の室外側見付け面の所定部位に予め、防犯面格子に配置される警報用通電ケーブルのための配線通孔を形成するとともに、前記配線通孔の形成部位であって、前記縦枠の見込み面の背面側に前記警報用通電ケーブルを挿通させるための配線用中空部材を配設しておくようにした。
【０００９】
従って、前記配線用中空部材を縦枠見込み面の背面に予め設けることにより、サッシ枠外周部のコンクリート又はモルタル充填作業が配線作業とは関係無く行えるようになるため、サッシ枠の取付け作業が効率化するようになる。また、新築時又は面格子取付け改装時に防犯面格子を取り付ける場合には、室外側又は室内側から前記配線用中空部材及び縦枠の配線通孔を通して警報用通電ケーブルの配線が容易に行えるようになる。
【００１０】
請求項２に係る本発明として、上枠、下枠、左右縦枠からなるサッシ枠と、このサッシ枠内に設けられる障子とからなるサッシにおいて、
前記縦枠の室外側見付け面の面格子固定金具取付け部位に予め、縦枠の見込み面室外側位置に形成された第１通孔と、この第１通孔に連続して前記見込み面より内側の縦枠見付け面に形成された第２通孔とにより断面Ｌ字状を成す、防犯面格子に配置される警報用通電ケーブルのための配線通孔を形成するとともに、前記配線通孔の形成部位であって、前記縦枠の見込み面の背面側に前記警報用通電ケーブルを挿通させるための配線用中空部材を配設したことを特徴とする防犯面格子対応サッシが提供される。
【００１１】
上記請求項２記載の発明においては、請求項１記載の発明と比較すると、配線通孔の形成態様を限定するものである。配線通孔は、面格子固定金具取付け部位に形成することにより、警報用通電ケーブルの露出を少なくするか、露出させることなく配線が可能となる。また、配線通孔を縦枠の見込み面室外側位置に形成された第１通孔と、前記第１通孔に連続して前記見込み面より内側の縦枠見付け面に形成された第２通孔とからなる断面Ｌ字状の配線通孔としてある。
【００１２】
見込み面と見付け面とに跨るように断面Ｌ字状に配線通孔を形成することにより、配線通孔は斜め方向に開口した連通形状となるため、配線作業が容易に行えるようになる。また、前記第２通孔は縦枠の見込み面より内側（障子側）に形成されることにより、サッシ外周のシール施工の影響を受けないようにできるため、配線作業はサッシ新設時と同時でなくても施工が可能となる。
【００１３】
請求項３に係る本発明として、前記配線用中空部材の両端開口は、養生テープにより封鎖してある請求項１、２いずれかに記載の防犯面格子対応サッシが提供される。
【００１４】
上記請求項３記載の発明は、前記配線用中空部材の両端開口を養生テープにより封鎖しておくことにより、サッシ外周部のコンクリート又はモルタル充填時に配線用中空部材内に流入するのを防止することができる。また、養生テープであれば簡単に配線用通孔を形成することができる。
【００１５】
請求項４に係る本発明として、前記配線用中空部材は接着部材により前記縦枠に接着されるとともに、内部にビスホールを備え、前記縦枠の室内側見付け面を貫通するビスによって固定されている請求項１〜３いずれかに記載の防犯面格子対応サッシが提供される。
【００１６】
上記請求項４記載の発明は、前記配線用中空部材は接着部材により前記縦枠に接着するとともに、内部にビスホールを備え、前記縦枠の室内側見付け面を貫通するビスによって固定するものであり、前記接着部材に仮止めされ、かつビスによって堅固に固定できるため、サッシ外周部のコンクリート又はモルタル充填時に力を受けても容易に離脱しない構造とすることができる。
【００１７】
請求項５に係る本発明として、予め、前記配線通孔及び配線用中空部材を通して警報用通電ケーブルを配設してある請求項１〜４いずれかに記載の防犯面格子対応サッシが提供される。
【００１８】
上記請求項５記載の発明は、サッシに対して、予め、前記配線通孔及び配線用中空部材を通して予め警報用通電ケーブルを配設しておくものであり、新築時はサッシの取付け段階で、警報用通電ケーブルの配線作業を完了することができるようになる。
【発明の効果】
【００１９】
以上詳説のとおり本発明によれば、新築時はもとより面格子取付け改装時であっても、前記警報用通電ケーブルの配線作業を容易に行えるようになるとともに、前記警報用通電ケーブルの露出を少なくするか無くした状態で配線することが可能となる。
【発明を実施するための最良の形態】
【００２０】
以下、本発明の実施の形態について図面を参照しながら詳述する。図１は防犯面格子３を取り付けた状態のサッシ１外観図であり、図２は図１のII−II断面図、図３は図１のIII−III断面図である。
【００２１】
図１は、本発明に係る防犯面格子対応サッシ１の室外側に、構成部材内部に断線によって面格子３が損壊したことを検知する警報用通電ケーブル４が配置された防犯面格子３が取り付けられたものである。
【００２２】
以下、本発明に係る防犯面格子３を備えたサッシ１の構造および警報用通電ケーブル４の配線要領について詳述する。
【００２３】
先ず、建物の躯体Ｈの開口部５に対して、上枠７、下枠８及び左右縦枠９，１０からなるサッシ枠２と、このサッシ枠２内に設けられる障子１１，１２とからなるサッシ１が設けられる。
【００２４】
前記サッシ枠２は、躯体Ｈに埋設された複数のアンカー筋１３の先端に溶接等によって固定された定着部材１４によって前記上枠７、下枠８及び左右縦枠９，１０が支持され、前記上枠７、下枠８及び左右縦枠９，１０と躯体開口部５との間の空間部分にコンクリート又はモルタル６が充填されるようになっている。
【００２５】
図３に示されるように、上記サッシ枠２の内、縦枠１０に対して前記警報用通電ケーブル４のための挿通部が形成されている。
【００２６】
具体的には、図４〜図６に示されるように、縦枠１０の面格子固定金具（後述の面格子固定ブラケット２１）取付け部位に、予め配線通孔１５が形成されるとともに、前記配線通孔１５の形成部位であって、前記縦枠１０の見込み面１０ａの背面側に前記警報用通電ケーブル４を挿通させるための配線用中空部材１６が配設される。
【００２７】
前記縦枠１０は、図４に示されるように、見込み面１０ａと、その室外側端部に設けられた室外側見付け面１０ｂと、前記見込み面１０ａの室内側端部に設けられた室内側見付け面１０ｃと、室内側に突出する額縁取付け片１０ｄとから構成されている。前記室外側見付け面１０ｂ及び室内側見付け面１０ｃは、断面が不等辺Ｌ字形状を成し、中間部に見込み面１０ａが接続される。以下、前記室外側見付け面１０ｂ（室内側見付け面１０ｃ）は、前記見込み面１０ａの接続部より内側を内周側見付け面１０ｅ（１０ｇ）といい、外側を外周側見付け面１０ｆ（１０ｈ）という。
【００２８】
前記配線通孔１５は、図５に示されるように、縦枠１０の見込み面１０ａの室外側位置に形成された第１通孔１５ａと、この第１通孔１５ａに連続して前記見付け面１０ｂの内周側見付け面１０ｅに形成された第２通孔１５ｂとにより断面Ｌ字状に形成される。断面Ｌ字状に配線通孔１５を形成することにより、斜め方向に開口した連通形状となるため、警報用通電ケーブル４を挿通し易くなるとともに、配線後のシール性も良好となる。また、前記第２通孔１５ｂは縦枠１０の見込み面１０ａより内側（障子側）に形成されることにより、サッシ外周のシール２０の影響を受けないようになる。
【００２９】
なお、前記配線通孔１５の形成は、ドリル又はパンチにより前記外周見付け面１０ｆのＬ字状片を切除しながら見込み面１０ａに第１通孔１５ａを形成するとともに、見付け面１０ｂ側から開孔を形成する２方向からの開孔手順により形成することができる。
【００３０】
一方、前記配線用中空部材１６は、好ましくは図７に示されるように、内部にビスホール１６ａが形成された矩形断面の中空部材とし、好ましくは室外側見付け面１０ｂと室内側見付け面１０ｃとの間に亘る長さ寸法とされる。また、前記配線用中空部材１６の両端開口は、カッター等により切断可能な養生テープ１７，１８により封鎖されている。
【００３１】
縦枠１０に対する取付けは、接着剤、両面接着テープ、両面接着シート、片面接着テープなどの接着部材により前記縦枠１０に接着するとともに、前記縦枠１０の室内側外周見付け面１０ｈを貫通するビス１９をビスホール１６ａに螺入することによって堅固に固定する。室外側外周見付け面１０ｆと配線用中空部材１６端面との空間部の処理は、バックアップ材（図示せず）を充填した後、シール材３０で封鎖するのが望ましい。
【００３２】
次に、前記防犯面格子３は、例えば上記特許文献１によれば、周枠内部に多数の桟材を設けた構造と、それぞれ複数本の縦桟と横桟との組合せからなる構造との２つが記載されているが、本形態例では後者の上下段で２本の横桟３ａ、３ｂを配設し、これら横桟３ａ、３ｂを横架する多数の縦桟３ｃ、３ｃ…で連結した構造のものが使用されている。
【００３３】
前記防犯面格子３の横桟３ａ、３ｂおよび縦桟３ｃ…の内部には、断線によって面格子の損壊等を検知するための警報用通電ケーブル４が配置されている。面格子３への配線パターンは種々の態様が考えられるが、例えば図１に示される例のように、上部横桟３ａの一方端開口部から左端横桟３ａ内部に進入した警報用通電ケーブル４を、２本目の縦桟３ｃとの交差部分で縦桟３ｃ内部に進入させて下方に向かわせ、下部横桟３ｂとの交差部分で下部横桟３ｂに進入させ、２本目の縦桟３ｃとの交差部分で縦桟３ｃ内部に進入させて上方に向かわせ、再び上部横桟３ａとの交差部分で上部横桟３ａに進入させるパターンを順次繰り返した後、右端縦桟３ｃに達したならば、右端縦桟３ｃ、下部横桟３ｂ、左端縦桟３ｃを通って元の位置に戻るパターンとすることができる。なお、本実施例では縦桟３ｃを１本置きに警報用通電ケーブル４が通過するようにしたが、すべての縦桟３ｃに警報用通電ケーブル４が配置されるパターンとすることも可能である。
【００３４】
前記防犯面格子３をサッシ２へ取付けるには、図２，図３に示されるように、防犯面格子３の横桟３ａ、３ｂからサッシ枠９に架け渡された面格子固定ブラケット２１（面格子固定金具）を用い、左右各２箇所づつで縦枠９，１０と面格子とを接続することにより固定される。前記面格子固定ブラケット２１は、図８に示されるように、サッシ２と面格子３との離間部を形成する板部２１ａの面格子側に、面格子３の横桟３ａ、３ｂ内部に挿入され横桟３ａ、３ｂにビス止めされる面格子側固定部２１ｂを備えるとともに、前記板部２１ａのサッシ側に、縦枠９，１０の室外側内周見付け面１０ｅを挟み込むように屈曲した屈曲部２１ｃと、その終端に縦枠９，１０の見込み面１０ａに対してビス止めされる屈折突出片２１ｄとを備える部材である。
【００３５】
図２及び図３に示されるように、前記面格子固定ブラケット２１の面格子側固定部２１ｂを横桟３ａ（３ｂ）の開口端面より挿入しビス２２により連結するとともに、前記屈曲部２１ｃを縦枠９，１０の室外側内周見付け面１０ｅを挟み込むように設置し、縦枠９，１０の見込み面１０ａに対してビス２３により固定を図るようにする。
【００３６】
前記警報用通電ケーブル４は、図３に示されるように、室外側及び／又は室内側から前記面格子固定ブラケット２１の側部を通って、縦枠１０の配線通孔１５を通すとともに、前記配線用中空部材１６の内部を通して配線される。この場合、前記配線用中空部材１６の端面を封鎖している養生シール１７，１８の適宜の位置に通孔が形成される。また、配線を終えたならば、前記配線通孔１５は室外側からシールが充填されることにより気・水密性が確保されるようにする。
【００３７】
さらに、図３に示されるように、先端部分に横桟３ａの端部が挿入される挿入部を備えるとともに、面格子固定ブラケット２１の側面を覆うアーム部を有する配線隠しカバー２４を配設することにより、警報用通電ケーブル４の目隠しを行うようにする。
【００３８】
前記警報用通電ケーブルは、室内側に設置された警報器（図示せず）に接続され、断線があったならば、警報を発したり、適宜警報装置や警備会社への通信装置に接続され、電話回線等を通じて面格子３に損壊があったことが通知される。
【００３９】
〔他の形態例〕
(1)上記形態例では、配線通孔１５は、第１通孔１５ａと、これに連続する第２通孔１５ｂとからなる断面Ｌ字状通孔としたが、前記第１通孔１５ａと、第２通孔１５ｂとを連続させずに形成することも可能である。
(2)上記形態例では、サッシ１を設置した後に、前記配線通孔１５及び配線用中空部材１６を通して警報用通電ケーブル４を配線するようにしたが、サッシ１に対して、予め、前記配線通孔１５及び配線用中空部材１６を通して予め警報用通電ケーブル４を配設しておけば、新築時はサッシの取付け段階で、警報用通電ケーブル４の配線作業を完了することができる。
【図面の簡単な説明】
【００４０】
【図１】本発明に係る防犯面格子３が設けられたサッシ１の外観図である。
【図２】図１のII−II断面図である。
【図３】図１のIII−III断面図である。
【図４】縦枠１０における警報用通電ケーブル４の挿通部を示す背面側からの斜視図である。
【図５】縦枠１０における警報用通電ケーブル４の挿通部を示す横断面図である。
【図６】縦枠１０における警報用通電ケーブル４の挿通部を示す背面側からの視図（図５のVI−VI線矢視図）である。
【図７】配線用中空部材１６の断面図である。
【図８】面格子固定ブラケット２１を示す、(A)は平面図、(B)は正面図である。
【符号の説明】
【００４１】
１…防犯面格子対応サッシ、２…サッシ枠、３…面格子、４…警報用通電ケーブル、５…躯体開口部、７…上枠、８…下枠、９・１０…縦枠、１１・１２…障子、１５…配線通孔、１５ａ…第１通孔、１５ｂ…第２通孔、１６…配線用中空部材、１７・１８…養生シール、２１…面格子固定ブラケット、２４…配線隠しカバー
【図１】
0004469777.tif 000002
【図２】
0004469777.tif 000003
【図３】
0004469777.tif 000004
【図４】
0004469777.tif 000005
【図５】
0004469777.tif 000006
【図６】
0004469777.tif 000007
【図７】
0004469777.tif 000008
【図８】
0004469777.tif 000009